(57)【特許請求の範囲】
【請求項１】
機器本体と、前記機器本体に対し移動自在な第１の被動部と、第２の被動部と、を備えた電子機器であって、
前記第１の被動部と第２の被動部とは、それぞれが前記機器本体の一つの面の前方に露出される露出面を備えており、
前記第１の被動部と前記第２の被動部とは、
前記第１の被動部の露出面が前記第２の被動部の露出面の前方に位置し、かつ前記第２の被動部の露出面が前記機器本体の一つの面の前方に位置するように、前記第１の被動部の露出面と前記第２の被動部の露出面と前記機器本体の一つの面とが互いに重なり合って配置される第１の位置と、前記第１の被動部と第２の被動部のそれぞれの露出面を上方へ向けるように露出させる第２の位置と、に亘って移動自在であるとともに、それぞれを前記機器本体に対して移動自在に支持する支持部材が設けられており、
前記支持部材のそれぞれが前記機器本体に対して移動することにより、前記第１の位置にある前記第１の被動部が前記一つの面に対して前方に移動した後下方に移動し、該第１の被動部の下方に向かっての移動に伴って前記第２の被動部が前記第１の被動部の上方に向かって移動して、前記第１、第２の被動部のそれぞれが前記第２の位置に位置付けられることを特徴とする電子機器。
【請求項２】
前記機器本体の一つの面には、その内部に記録媒体を挿入するための記録媒体挿入口を備えており、
前記記録媒体挿入口は、前記第１の被動部と前記第２の被動部とが前記第１の位置にあるときに前記第２の被動部により覆われた状態とされ、
前記第１の被動部と前記第２の被動部とは、それぞれが前記機器本体に対して移動して、前記記録媒体挿入口を露出させる第３の位置に変位することを特徴とする請求項１記載の電子機器。
【請求項３】
前記第１の被動部は、  前記第１の位置から前記配列方向に沿って、該一つの面から離れる方向に移動した後に、前記機器本体の下方に向かって前記第２の位置に移動することを特徴とする請求項１または請求項２に記載の電子機器。
【請求項４】
前記第２の被動部は、  前記第１の位置から前記機器本体の下方に向かって第３の位置に移動し、該第３の位置から前記機器本体の上方に向かって前記第２の位置に移動することを特徴とする請求項２又は請求項３に記載の電子機器。
【請求項５】
前記第２の被動部は、前記第１の被動部が前記第２の位置に位置した後、又は前記第１の被動部が前記第２の位置に移動しているときに前記第３の位置から前記第２の位置に移動することを特徴とする請求項２乃至請求項４記載のうちいずれか一項に記載の電子機器。
【請求項６】
前記第１の被動部は、前記第２の位置に位置すると、前記機器本体の幅方向に沿う第１の回転中心を中心として回転されて、前記第１の被動部の露出面が上方に向けられることを特徴とする請求項１乃至請求項５のうちいずれか一項に記載の電子機器。
【請求項７】
前記第２の被動部は、前記第２の位置に位置すると、前記機器本体の幅方向に沿う第２の回転中心を中心として回転されて、前記第２の被動部の露出面が上方に向けられることを特徴とする請求項１乃至請求項６のうちいずれか一項に記載の電子機器。
【請求項８】
前記第１の被動部と前記第２の被動部とが、それぞれ第２の位置に位置すると、各々の露出面が互いに平行となることを特徴とする請求項１乃至請求項７のうちいずれか一項に記載の電子機器。
【請求項９】
前記第１の被動部は、前記機器本体に取り付けられた中蓋に着脱自在となっているとともに、
前記中蓋は、前記第１の被動部を取り付けて前記第１の位置と前記第２の位置とに亘って移動自在とされ、
前記第１の被動部が前記中蓋から取り外されると、前記第２の被動部が前記第１の位置に位置し、かつ前記中蓋が前記機器本体の一つの面との間に前記第２の被動部を位置させるとともに、前記中蓋と前記第２の被動部と前記機器本体の一つの面とが互いに重なり合って配列されることを特徴とする請求項１乃至請求項８のうちいずれか一項に記載の電子機器。
【請求項１０】
機器本体と、前記機器本体に対し移動自在な第１の被動部と、第２の被動部と、を備えた電子機器であって、
前記第１の被動部と第２の被動部とは、それぞれが前記機器本体の一つの面の前方に露出される露出面を備えており、
前記第１の被動部と前記第２の被動部とは、前記第１の被動部の露出面と前記第２の被動部の露出面とが相対した状態で前記第１の被動部の露出面が前記第２の被動部の露出面の前方に位置し、かつ前記第２の被動部の露出面が前記機器本体の一つの面の前方に位置するように、前記第１の被動部の露出面と前記第２の被動部の露出面と前記機器本体の一つの面とが互いに重なり合って配置される第１の位置と、前記第１の被動部と第２の被動部のそれぞれの露出面を上方へ向けるように露出させる第２の位置と、に亘って移動自在であるとともに、
それぞれを前記機器本体に対して移動自在に支持する支持部材が設けられており、
前記支持部材のそれぞれが前記機器本体に対して移動することにより、前記第１の被動部は前記機器本体の幅方向に沿う第１の回転中心を中心として回転し当該露出面が前記第１の位置とは反対の方向に向けられて前記第２の被動部に対して下方へ移動するとともに、前記第２の被動部は前記機器本体の幅方向に沿う第２の回転中心を中心として回転して、前記第１及び第２の被動部のそれぞれが前記第２の位置に位置付けられることを特徴とする電子機器。
【発明の詳細な説明】
【０００１】
【発明の属する技術分野】
本発明は、例えば、移動体としての自動車などに装着されるオーディオ装置などの電子機器に関する。
【０００２】
【従来の技術】
従来の電子機器では、例えば、移動体としての自動車のインストルメントパネル（以下インパネと呼ぶ）に装着されるCompact Disc（以下ＣＤと呼ぶ）プレーヤ、ＭＤ（Mini disc）プレーヤ、ＡＭ／ＦＭチューナなどの、種々のカーオーディオ装置が存在する。前述したカーオーディオ装置として、例えば、前記ＣＤプレーヤと前記ＡＭ／ＦＭチューナなどが一つの筐体内に収容されて構成される電子機器１０１（図３４に示す）が用いられている。
【０００３】
図３４に例示された電子機器１０１は、前記インパネに取り付けられる機器本体１０２と、前記機器本体１０２に対し移動自在に設けられた操作ユニット１０３と、を備えている。機器本体１０２は、箱状に形成されている。機器本体１０２は、ＡＭ／ＦＭチューナとＣＤを再生するための再生機構等を収容している。
【０００４】
また、機器本体１０２は、インパネに取り付けられると、使用者に相対する面１０２ａ（図３５に示す）に、記録媒体挿入口１０７を設けている。記録媒体挿入口１０７は、記録媒体としての前述したＣＤを機器本体１０２の内外に出し入れ自在とする。
【０００５】
操作ユニット１０３は、ＡＭ／ＦＭ放送局の選局や、ＣＤに記録されている曲の選曲などを行うための各種のスイッチ１０４と、放送局の選局状況や曲の選曲状況などを表示する表示パネル１０５などを備えている。操作ユニット１０３は、前記一つの面１０２ａを覆い前記表示パネル１０５などを使用者に相対させる第１の位置（図３４に示す）と、前記一つの面１０２ａを開放しかつ前記記録媒体挿入口１０７を露出させるとともに前記表示パネル１０５を上方に向ける第２の位置（図３５に示す）と、に亘って、前記機器本体１０２に移動自在に設けられている。
【０００６】
図３４に例示された電子機器１０１の操作ユニット１０３は、図３４に示す第１の位置から、操作ユニット１０３の下端部が機器本体１０２の一つの面１０２ａから前方に突出する方向に移動されるとともに、上端部が下方に向かって移動されて、図３５に示す第２の位置に変位される。こうして、記録媒体挿入口１０７が露出される。
【０００７】
前記使用者は、前記第２の位置において、前記記録媒体挿入口１０７を通してＣＤを機器本体１０２内に挿入したり、前記機器本体１０２内からＣＤを取り出す。そして、前記使用者は、第１の位置において、前述した各種のスイッチ１０４などを操作してＡＭ／ＦＭチューナとＣＤプレーヤのソースの切換えや、上記した選曲・選局を行う。
【０００８】
【発明が解決しようとする課題】
前述した従来の電子機器１０１は、前記操作ユニット１０３に各種のスイッチ１０４や前述した表示パネル１０５などを設けているため、前記表示パネル１０５の表示領域が狭くなって、その表示領域に表示される情報を使用者が視認しずらかった。
【０００９】
また、図３６に示すように、前記表示パネル１０５を前述した機器本体１０２の一つの面１０２ａに設けても、前記表示パネル１０５の表示領域が狭くなる。このように、従来の電子機器１０１では、機器自体の作動状況を良好に視認させることが困難となる傾向であった。
【００１０】
本発明は、このような課題に鑑みてなされたものであって、機器自体の作動状況を良好に視認させることができる電子機器を提供することを目的とする。
【００１１】
【課題を解決するための手段】
前記課題を解決し目的を達成するために、請求項１に記載の本発明の電子機器は、機器本体と、前記機器本体に対し移動自在な第１の被動部と、第２の被動部と、を備えた電子機器であって、前記第１の被動部と第２の被動部とは、それぞれが前記機器本体の一つの面の前方に露出される露出面を備えており、前記第１の被動部と前記第２の被動部とは、前記第１の被動部の露出面が前記第２の被動部の露出面の前方に位置し、かつ前記第２の被動部の露出面が前記機器本体の一つの面の前方に位置するように、前記第１の被動部の露出面と前記第２の被動部の露出面と前記機器本体の一つの面とが互いに重なり合って配置される第１の位置と、前記第１の被動部と第２の被動部のそれぞれの露出面を上方へ向けるように露出させる第２の位置と、に亘って移動自在であるとともに、それぞれを前記機器本体に対して移動自在に支持する支持部材が設けられており、前記支持部材のそれぞれが前記機器本体に対して移動することにより、前記第１の位置にある前記第１の被動部が前記一つの面に対して前方に移動した後下方に移動し、該第１の被動部の下方に向かっての移動に伴って前記第２の被動部が前記第１の被動部の上方に向かって移動して、前記第１、第２の被動部のそれぞれが前記第２の位置に位置付けられることを特徴とする。
【００１２】
請求項２に記載の本発明の電子機器は、請求項１記載の電子機器において、前記機器本体の一つの面には、その内部に記録媒体を挿入するための記録媒体挿入口を備えており、前記記録媒体挿入口は、前記第１の被動部と前記第２の被動部とが前記第１の位置にあるときに前記第２の被動部により覆われた状態とされ、前記第１の被動部と前記第２の被動部とは、それぞれが前記機器本体に対して移動して、前記記録媒体挿入口を露出させる第３の位置に変位することを特徴としている。
【００１３】
請求項３に記載の本発明の電子機器は、請求項１または請求項２に記載の電子機器において、前記第１の被動部は、前記第１の位置から前記配列方向に沿って、該一つの面から離れる方向に移動した後に、前記機器本体の下方に向かって前記第２の位置に移動することを特徴としている。
【００１４】
請求項４に記載の本発明の電子機器は  請求項１または請求項２に記載の電子機器において前記第２の被動部は、前記第１の位置から前記機器本体の下方に向かって第３の位置に移動し、該第３の位置から前記機器本体の上方に向かって前記第２の位置に移動することを特徴としている。
【００１５】
請求項５に記載の本発明の電子機器は、請求項２乃至請求項４のうちいずれか一項に記載の電子機器において、前記第２の被動部は、前記第１の被動部が前記第２の位置に位置した後、又は前記第１の被動部が前記第２の位置に移動しているときに前記第３の位置から前記第２の位置に移動することを特徴としている。
【００１６】
請求項６に記載の本発明の電子機器は、請求項１乃至請求項５のうちいずれか一項に記載の電子機器において、前記第１の被動部は、前記第２の位置に位置すると、前記機器本体の幅方向に沿う第１の回転中心を中心として回転されて、前記第１の被動部の露出面が上方に向けられることを特徴としている。
【００１７】
請求項７に記載の本発明の電子機器は、請求項１乃至請求項６のうちいずれか一項に記載の電子機器において、前記第２の被動部は、前記第２の位置に位置すると、前記機器本体の幅方向に沿う第２の回転中心を中心として回転されて、前記第２の被動部の露出面が上方に向けられることを特徴としている。
【００１８】
請求項８に記載の本発明の電子機器は、請求項１乃至請求項７のうちいずれか一項に記載の電子機器において、前記第１の被動部と前記第２の被動部とが、それぞれ第２の位置に位置すると、各々の露出面が互いに平行となることを特徴としている。
【００１９】
請求項９に記載の本発明の電子機器は、請求項１乃至請求項８のうちいずれか一項に記載の電子機器において、前記第１の被動部は、前記機器本体に取り付けられた中蓋に着脱自在となっているとともに、前記中蓋は、前記第１の被動部を取り付けて前記第１の位置と前記第２の位置とに亘って移動自在とされ、前記第１の被動部が前記中蓋から取り外されると、前記第２の被動部が前記第１の位置に位置し、かつ前記中蓋が前記機器本体の一つの面との間に前記第２の被動部を位置させるとともに、前記中蓋と前記第２の被動部と前記機器本体の一つの面とが互いに重なり合って配列されることを特徴としている。
【００２０】
請求項１０に記載の本発明の電子機器は、機器本体と、前記機器本体に対し移動自在な第１の被動部と、第２の被動部と、を備えた電子機器であって、前記第１の被動部と第２の被動部とは、それぞれが前記機器本体の一つの面の前方に露出される露出面を備えており、前記第１の被動部と前記第２の被動部とは、前記第１の被動部の露出面と前記第２の被動部の露出面とが相対した状態で前記第１の被動部の露出面が前記第２の被動部の露出面の前方に位置し、かつ前記第２の被動部の露出面が前記機器本体の一つの面の前方に位置するように、前記第１の被動部の露出面と前記第２の被動部の露出面と前記機器本体の一つの面とが互いに重なり合って配置される第１の位置と、前記第１の被動部と第２の被動部のそれぞれの露出面を上方へ向けるように露出させる第２の位置と、に亘って移動自在であるとともに、それぞれを前記機器本体に対して移動自在に支持する支持部材が設けられており、前記支持部材のそれぞれが前記機器本体に対して移動することにより、前記第１の被動部は前記機器本体の幅方向に沿う第１の回転中心を中心として回転し当該露出面が前記第１の位置とは反対の方向に向けられて前記第２の被動部に対して下方へ移動するとともに、前記第２の被動部は前記機器本体の幅方向に沿う第２の回転中心を中心として回転して、前記第１及び第２の被動部のそれぞれが前記第２の位置に位置付けられることを特徴とする。
【００２２】
請求項１に記載した本発明の電子機器によれば、第１の被動部と第２の被動部それぞれの露出面が第２の位置で露出する。このため、前記露出面それぞれに液晶ディスプレイなどの表示パネルを設けることによって、該表示パネルの表示領域を大きくすることができる。
【００２３】
さらに、第１の被動部が前記機器本体の一つの面に対して前方に移動後、下方に移動するのに伴って第２の被動部が前記第１の被動部の上方に向かって移動して、前記第１、第２の被動部それぞれが前記第２の位置に位置付けられる。このため、前記露出面を露出させる第２の位置に移動する際に、前記第１の被動部と第２の被動部それぞれの前記機器本体からの変位を最小にすることができる。
【００２４】
このため、例えば、自動車のインパネなどに取り付けられると、第１の被動部と第２の被動部などが自動車の変速レバーなどの装備品などと干渉することを防止できる。
【００２５】
請求項２に記載した本発明の電子機器によれば、第１の被動部と第２の被動部とは、記録媒体挿入口を露出させる第３の位置に変位する。このため、機器本体内に記録媒体を確実に挿入できる。
【００２６】
請求項３に記載した本発明の電子機器によれば、第１の被動部は、機器本体の一つの面から離れた後下方に移動して、第１の位置から第２の位置に移動する。このため、第２の位置では、第１の被動部の露出面と第２の被動部の露出面とが互いに重なることを防止できる。
【００２７】
請求項４に記載した本発明の電子機器によれば、第２の被動部が下方に向かって移動して、第１の位置から第３の位置に移動する。このため、第３の位置では、記録媒体挿入口を確実に露出させることができる。
【００２８】
さらに、第２の被動部は、前記第３の位置から上方に移動して、第２の位置に位置する。このため、第２の位置では、第１の被動部の露出面と第２の被動部の露出面とが互いに重なることを防止できる。
【００２９】
請求項５に記載した本発明の電子機器によれば、第２の被動部は、第１の被動部が第２の位置に位置した後、又は第１の被動部が前記第２の位置に向かって移動している時に、第３の位置から上方に向かって移動する。このため、第２の位置では、第１の被動部の露出面と第２の被動部の露出面とが互いに重なることをより確実に防止できる。
【００３０】
請求項６に記載した本発明の電子機器によれば、第２の位置では、第１の被動部の露出面が上方に向けられる。このため、露出面に表示パネルなどを設けると、該表示パネルが使用者に相対される。したがって、使用者が、前記表示パネルが表示する情報をより良好に視認できる。
【００３１】
請求項７に記載した本発明の電子機器によれば、第２の位置では、第２の被動部の露出面が上方に向けられる。このため、露出面に表示パネルなどを設けると、該表示パネルが使用者に相対される。したがって、使用者が、前記表示パネルが表示する情報をより良好に視認できる。
【００３２】
請求項８に記載した本発明の電子機器によれば、第２の位置では、第１の被動部の露出面と第２の被動部の露出面とが平行になる。このため、これらの露出面に表示パネルなどを設けると、使用者が、双方の表示パネルが表示する情報をより良好に視認できる。
【００３３】
請求項９に記載した本発明の電子機器によれば、中蓋から第１の被動部を取り外すと、中蓋と機器本体との間に第２の被動部が位置するように、中蓋と第２の被動部との双方が移動する。このため、第２の被動部を取り外すと、中蓋が機器本体の一つの面と第２の被動部を覆う。
【００３４】
このため、前記第１の被動部が取り外されると電子機器自体が機能しないようにできる。前記第１の被動部をいわゆるデタッチパネルとすることで、電子機器の盗難を防止できる。
【００３５】
請求項１０に記載した本発明の電子機器によれば、第１の被動部と第２の被動部それぞれの露出面は第２の位置で露出する。このため、前記露出面それぞれに液晶ディスプレイなどの表示パネルを設けることによって、該表示パネルの表示領域を大きくすることができる。
【００３６】
さらに、第１の被動部と第２の被動部とは、それぞれを前記機器本体に対して移動自在に支持する支持部材が設けられており、それぞれ機器本体に対し回転し移動する。このため、前記露出面を露出させる第２の位置に移動する際に、前記第１の被動部と第２の被動部それぞれの前記機器本体からの変位を最小にすることができる。
【００３７】
このため、例えば、自動車のインパネなどに取り付けられると、第１の被動部と第２の被動部などが自動車の変速レバーなどの装備品などと干渉することを防止できる。
【００３８】
さらに、第２の位置では、第１の被動部の露出面と第２の被動部の露出面との双方が上方に向けられる。このため、露出面に表示パネルなどを設けると、該表示パネルが使用者に相対される。したがって、使用者が、前記表示パネルが表示する情報をより良好に視認できる。
【００３９】
【発明の実施の形態】
本発明の一実施形態にかかる電子機器１を図１ないし図２６を参照して説明する。
図１などに示す電子機器１は、例えば、移動体としての自動車のインストルメントパネル（以下インパネと呼ぶ）に装着される。電子機器１は、例えば、記録媒体としてのCompact Disc（以下ＣＤと呼ぶ）を収容して、該ＣＤに記録された情報を再生して音声として出力するＣＤプレーヤや、ＡＭ／ＦＭ放送電波を受信して、その受信した情報を音声として出力するＡＭ／ＦＭチューナなどを備えている。
【００４０】
電子機器１は、図１ないし図３に示すように、機器本体２と、第１の被動部としての第１操作ユニット３と、第２の被動部としての第２操作ユニット４と、駆動機構６（図４及び図５に示す）と、を備えている。機器本体２は、扁平な箱状に形成されたシャーシ５と、このシャーシ５内に収容されるＣＤプレーヤやＡＭ／ＦＭチューナ等を備えている。シャーシ５は、箱状のシャーシ本体１４と、シャーシ本体１４の図中手間側に取り付けられる前面パネル１５とを備えている。前面パネル１５は、帯状の板金である。
【００４１】
前面パネル１５は、表面１５ａに前記機器本体２の内側にＣＤを挿入したり、前記機器本体２内に収容されたＣＤを排出するための記録媒体挿入口７（図２に示す）を設けている。また、前面パネル１５は、前記表面１５ａのすべての縁部に立設するように一体成形された複数の立設壁１５ｃを備えている。なお、第１操作ユニット３と第２操作ユニット４とは、後述する第１の位置において、前記複数の立設壁１５ｃで囲まれた空間に収容される。また、前面パネル１５の表面１５ａは、本明細書に記した機器本体２の一つの面をなしている。
【００４２】
なお、シャーシ５内に収容されるＣＤプレーヤやＡＭ／ＦＭチューナ等は、使用者が第１操作ユニット３と第２操作ユニット４の各々に設けられた後述するスイッチ１０，１３等を押圧することによって動作する。
【００４３】
第１操作ユニット３は、図１から図６、図１３及び図２０に示すように、扁平な箱状のハウジング８と、該ハウジング８内に収容される表示パネルとしての液晶ディスプレイ（以下ＬＣＤと呼ぶ）９と、各種のスイッチ１０と、を備えている。ハウジング８は、機器本体２のシャーシ５の幅と機器本体２のシャーシ５の厚みとの双方とほぼ等しい。
【００４４】
ＬＣＤ９は、使用者に対し各種の情報を表示する表示領域としての表示面を備えている。各種のスイッチ１０は、使用者が操作するための操作部を構成している。この表示面と操作部とが前記ハウジング８の図１中手間側に位置する一つの面８ａに設けられている。なお、前記一つの面８ａは、本明細書に記した露出面をなしており、以下露出面と呼ぶ。
【００４５】
第１操作ユニット３に設けられたスイッチ１０が使用者などに操作されることによって、例えば、ＡＭ／ＦＭチューナが電波を受信する放送局の選局が行われる。そして、第１操作ユニット３のＬＣＤ９にその選局中の放送局の周波数や放送局名等の情報を表示させる。
【００４６】
また、第１操作ユニット３は、駆動機構６の後述する第１ホルダ３９（図４及び図５に示す）に着脱自在となっている。
【００４７】
第１操作ユニット３の露出面８ａと反対側の面の両側端には、図示しない凹溝が形成されている。また、第１ホルダ３９には、その凹溝に係止する係止爪２６が設けられており、この係止爪２６が凹溝に係止されることによって、第１操作ユニット３が第１ホルダ３９に取り付けられる。また、係止爪２６が凹溝から抜け出ることによって、第１操作ユニット３が第１ホルダ３９から取り外される。
【００４８】
第２操作ユニット４は、図３から図５及び図２０に示すように、扁平な箱状のハウジング１１と、該ハウジング１１内に収容される表示パネルとしての液晶ディスプレイ（以下ＬＣＤと呼ぶ）１２と、各種のスイッチ１３と、を備えている。ハウジング１１は、機器本体２のシャーシ５の幅方向に沿って相対する立設壁１５ｃ間の距離と、機器本体２の厚み方向に沿って相対する立設壁１５ｃ間の距離と、の双方より若干小さい。
【００４９】
ＬＣＤ１２は、使用者に対し各種の情報を表示する表示領域としての表示面を備えている。各種のスイッチ１３は、使用者が操作するための操作部を構成している。この表示面と操作部とが前記ハウジング１１の図２０中手間側に位置する一つの面１１ａに設けられている。なお、前記一つの面１１ａは、本明細書に記した露出面をなしており、以下露出面と呼ぶ。
【００５０】
第２操作ユニット４に設けられたスイッチ１３が使用者などに操作されることによって、例えば、ＣＤプレーヤが再生する曲などが選択される。そして、第２操作ユニット４のＬＣＤ１２にその選曲中のトラック番号等の情報などを表示させる。
【００５１】
前記第１操作ユニット３と第２操作ユニット４とは、駆動機構６によって、図１に示す第１の位置と、図２に示す第３の位置と、図３に示す第２の位置と、に亘って移動される。本実施形態では、第１操作ユニット３と第２操作ユニット４とは、駆動機構６によって、第１の位置から第３の位置と第２の位置という順に移動される。また、第１操作ユニット３と第２操作ユニット４とは、駆動機構６によって第２の位置から第３の位置と第１の位置という順に移動される。
【００５２】
前記第１の位置では、第１操作ユニット３と第２操作ユニット４とは、前面パネル１５の表面１５ａに垂直な方向に沿って平行に並べられている。第１操作ユニット３と表面１５ａとの間に、第２操作ユニット４を位置させている。第２操作ユニット４は、立設壁１５ｃと表面１５ａとで囲まれる空面内に収容されている。なお、第１操作ユニット３と第２操作ユニット４が第１の位置に位置しているときは、各々の露出面８ａと露出面１１ａは、前面パネル１５の表面１５ａと相対しない方向、具体的には、相対する方向と逆の方向に向いている。また、第１操作ユニット３は、第２操作ユニット４の露出面１１ａを覆っている。
【００５３】
第３の位置では、第１の位置から第１操作ユニット３と第２操作ユニット４との双方が下方に移動して、記録媒体挿入口７を露出させる。第１操作ユニット３が第１の位置から第３の位置に移動する際、第１操作ユニット３は、一旦、前面パネル１５の表面１５ａと垂直な方向に沿って、機器本体２から離れるようにして移動する。そして、機器本体２の下方に向かって第３の位置に移動する。さらに、第１操作ユニット３は、図２中手間側に向かって移動され、その露出面８ａが若干上向きとなる方向に回転される。
【００５４】
第２の位置では、第３の位置から第１操作ユニット３がさらに下方に移動するとともにＬＣＤ９の表示面即ち露出面８ａがより上向きとなる方向に回転されている。第２の位置では、第３の位置から第２操作ユニット４が上方に移動するとともにＬＣＤ１２の表示面即ち露出面１１ａが上向きとなる方向に回転されている。そして、第１操作ユニット３のＬＣＤ９の表示面及びスイッチ１０で構成される操作部と、第２操作ユニット４のＬＣＤ１２の表示面及びスイッチ１３で構成される操作部と、の双方が、前面パネル１５の表面１５ａの前方に露出された状態となっている。
【００５５】
即ち、第２の位置では、第１操作ユニット３の露出面８ａの上方に第２操作ユニット４の露出面１１ａが位置している状態となっている。つまり、第２の位置では、第１操作ユニット３の露出面８ａと第２操作ユニット４の露出面１１ａとが共に使用者に対し露出されている状態にあり、使用者は、双方の露出面８ａ，１１ａに設けられている表示部の視認及び操作部の操作を行うことが可能となる。さらに、第１操作ユニット３と第２操作ユニット４との双方の露出面８ａ，１１ａが上向きとなっているため、上記した視認及び操作を良好に行うことができる。
【００５６】
駆動機構６は、中蓋としての第１ホルダ３９と、第２ホルダ４０と、第１の駆動ユニット２４（図４に示す）と、第２の駆動ユニット２５（図５に示す）と、を備えている。第１ホルダ３９と第２ホルダ４０とは、それぞれ帯状の板金である。第１ホルダ３９と、第２ホルダ４０とは、それぞれ、長手方向が機器本体２の幅方向に沿った状態で配される。第１ホルダ３９と第２ホルダ４０とは、前面パネル１５より若干小さい。
【００５７】
第１ホルダ３９には、第１操作ユニット３が着脱自在である。第１ホルダ３９は、図４、図５及び図８に示すように、係止爪２６を四つ備えている。係止爪２６は、第１ホルダ３９の表面両端付近に二つずつ取り付けられている。つまり、四つの係止爪２６は、二つの係止爪２６を一組として構成されている。さらに、その一組のそれぞれの係止爪２６は、機器本体２の厚み方向に沿って互いに間隔をあけて取り付けられている。また、四つの係止爪２６は、各々第１ホルダ３９の中央に向かって図示しないねじりばねなどによって付勢されている。
【００５８】
第１ホルダ３９は、第１操作ユニット３の図示しない凹溝に係止爪２６を係止させることにより第１操作ユニット３を取り付ける。そして、例えば、使用者が第１ホルダ３９に取り付けられた第１操作ユニット３を第１ホルダ３９の下方向に移動させて係止爪２６を凹溝から抜け出させる。こうして、第１操作ユニット３を第１ホルダ３９から取り外す。第２ホルダ４０には、第２操作ユニット４が取り付けられる。
【００５９】
駆動ユニット２４，２５は、それぞれ、シャーシ本体１４の内部に配される。駆動ユニット２４，２５は、機器本体２の幅方向に沿って互いに間隔をあけて配される。駆動ユニット２４，２５は、それぞれ機器本体２の幅方向の両端部に配される。
【００６０】
なお、これら第１の駆動ユニット２４と第２の駆動ユニット２５とは、構成がほぼ同一であるため、以下第１の駆動ユニット２４を代表して説明し、第２の駆動ユニット２５には同一符号を付して説明を省略する。第１の駆動ユニット２４は、駆動源１６（図１１に示す）と、第１駆動部１７（図４などに示す）と、第２駆動部１８（図４などに示す）と、を備えている。
【００６１】
駆動源１６は、図１１に示すように、モータ１９と、ウォーム２０と、ウォーム歯車２１と、伝達歯車２２と、カム歯車２３と、を備えている。モータ１９は、正逆の双方向に回転可能な出力軸１９ａを備えている。モータ１９は、後述する第１フレーム３５（図９などに示す）と第２フレーム５７との双方に固定されている。
【００６２】
ウォーム２０は、モータ１９の出力軸１９ａに取り付けられている。ウォーム歯車２１は、互いに同軸に配された大径歯車部２１ａと小径歯車部２１ｂとを一体に備えている。ウォーム歯車２１は、第１フレーム３５と第２フレーム５７との間に配されているとともに、これらのフレーム３５，５７に回転自在に支持されている。ウォーム歯車２１の大径歯車部２１ａが、ウォーム２０と噛み合っている。
【００６３】
伝達歯車２２は、互いに同軸に配された大径歯車部２２ａと小径歯車部２２ｂとを一体に備えている。伝達歯車２２は、第１フレーム３５と第２フレーム５７との間に配されているとともに、これらのフレーム３５，５７に回転自在に支持されている。伝達歯車２２の大径歯車部２２ａが、ウォーム歯車２１の小径歯車部２１ｂと噛み合っている。
【００６４】
カム歯車２３は、第１フレーム３５と第２フレーム５７との間に配されているとともに、これらフレーム３５，５７に回転自在に支持されている。カム歯車２３は、伝達歯車２２の小径歯車部２２ｂと噛み合っている。
【００６５】
前述した各歯車２１，２２，２３の回転中心は、機器本体２の幅方向に沿っている。各歯車２１，２２，２３は、それらの両表面が図１などに示す機器本体２の奥行き方向に沿うようにして配列されている。カム歯車２３における機器本体２の幅方向に沿って、シャーシ本体１４の内側から外側に向かう方向に向いた表面２３ａには、図９などに示すように、第１の凹溝３１と、第２の凹溝３２とが形成されている。
【００６６】
第１の凹溝３１と第２の凹溝３２は、図９などに示すように、カム歯車２３の回転中心Ｑを中心とした渦状に形成されている。第１の凹溝３１と第２の凹溝３２とは、カム歯車２３の回転中心Ｑに対してほぼ対称となる位置に配されているとともに、回転中心Ｑに対してほぼ対称な形状とされている。第１の凹溝３１と第２の凹溝３２とは、前記回転中心Ｑから離れるのにしたがって、徐々にカム歯車２３の外縁部に近づくように、渦状に形成されている。
【００６７】
カム歯車２３における機器本体２の幅方向に沿って、シャーシ本体１４の外側から内側に向かう方向に向いた表面２３ｂには、図１１などに示すように、第３の凹溝３３と、第４の凹溝３４とが形成されている。
【００６８】
第３の凹溝３３は、図１１などに示すように、カム歯車２３の回転中心Ｑの近傍をとおり、カム歯車２３のほぼ径方向に沿っている。第３の凹溝３３は、カム歯車２３の回転中心Ｑを中心とする円弧をなす方向に若干湾曲している。
【００６９】
第４の凹溝３４は、図１１などに示すように、カム歯車２３の回転中心Ｑを中心とした円弧状の円弧部３４ａと、該円弧部３４ａに連なる渦部３４ｂと、を備えている。円弧部３４ａは、カム歯車２３の外縁部に設けられている。渦部３４ｂは、円弧部３４ａから離れるのにしたがって徐々にカム歯車２３の回転中心Ｑに近づく方向に延びている。
【００７０】
前述した構成によれば、駆動源１６は、モータ１９からの回転駆動力によって、カム歯車２３を、図９中の矢印Ｌに沿う方向と、図１６中の矢印Ｍに沿う方向と、の双方の方向に回転させる。
【００７１】
第１駆動部１７は、図４などに示すように、第１フレーム３５と、第１アーム３６と、第２アーム３７と、を備えている。第１フレーム３５は、シャーシ本体１４の底壁からシャーシ本体１４の内側に向かう方向に立設した状態で固定される。第１フレーム３５は、その平面がカム歯車２３の表面２３ａに相対するように配される。
【００７２】
第１フレーム３５は、図４、図５及び図９などに示すように、一対の第１ガイド孔４１と、第２ガイド孔４２と、支持ピン３８ａ，３８ｂなどを備えている。一対のガイド孔４１は、図４に示すように、第１フレーム３５の前面パネル１５寄りの側端部から反対側の側端部に向かう方向に沿って、間隔をあけて配されている。
【００７３】
図９に示すように、一対の第１ガイド孔４１のそれぞれは、水平延在部５１と、円弧部５２と、下方延在部５３と、を備えている。水平延在部５１と円弧部５２と下方延在部５３とは、機器本体２の奥側から前面パネル１５が配される方向に向かって順に配されている。水平延在部５１は、水平方向に沿って延びている。円弧部５２は、前記水平延在部５１と連なっている。円弧部５２は、平面形状が円弧状である。下方延在部５３は、円弧部５２に連なっているとともに、円弧部５２から下方に延びている。
【００７４】
第２ガイド孔４２は、平面形状が支持ピン３８ａを中心とした円弧状である。支持ピン３８ａは、第１フレーム３５の前面パネル１５寄りの側端部に設けられている。支持ピン３８ａは、第１フレーム３５から立設している。支持ピン３８ａは、第１フレーム３５から機器本体２の幅方向に沿ってシャーシ本体１４の内側から外側に向かう方向に延びている。
【００７５】
支持ピン３８ｂは、図５に示すように、第１フレーム３５から立設している。支持ピン３８ｂは、第１フレーム３５から機器本体２の幅方向に沿ってシャーシ本体１４の外側から内側に向かう方向に延びている。支持ピン３８ｂは、カム歯車２３の回転中心Ｑに挿通されて、カム歯車２３を回転自在に支持する。
【００７６】
第１アーム３６は、図４及び図１０などに示すように、機器本体２の前面パネル１５が配される側から奥側に向かって延在するようにアーム状に形成されている。第１アーム３６は、第１フレーム３５の支持ピン３８ａが立設している平面側に配される。第１アーム３６は、前面パネル１５寄りに位置する一端部が第１ホルダ３９の下端部を支持している。第１アーム３６は、機器本体２の幅方向を中心として、第１ホルダ３９の下端部を回転自在に支持する。第１アーム３６は、機器本体２の厚み方向に沿って、スライド移動自在に第１ホルダ３９の下端部を支持する。
【００７７】
第１アーム３６は、中央部と他端部との双方に駆動ピン５４を設けている。それらの駆動ピン５４は、第１アーム３６から第１フレーム３５が位置する方向に向かって立設している。それらの駆動ピン５４は、第１アーム３６が第１フレーム３５の支持ピン３８ａが立設している平面側に配されると、それぞれ一対の第１ガイド孔４１内に侵入される。そして、第１アーム３６の中央部に設けられている駆動ピン５４は、カム歯車２３の第１の凹溝３１内に侵入される。
【００７８】
第２アーム３７は、図４及び図１０などに示すように、機器本体２の前面パネル１５が配される側から奥側に向かって延在するようにアーム状に形成されている。第２アーム３７は、機器本体２の幅方向に沿って第１フレーム３５と第１アーム３６との間で、かつ第１アーム３６の上方に配される。第２アーム３７は、前面パネル１５寄りに位置する一端部が第１ホルダ３９の上端部を支持している。第２アーム３７は、機器本体２の幅方向に沿った第１の回転中心Ｐ（図４中に一点鎖線で示す）を中心として、第１ホルダ３９の上端部を回転自在に支持する。
【００７９】
第２アーム３７は、中央部に貫通孔５５を設けている。貫通孔５５内には、支持ピン３８ａが侵入する。第２アーム３７は、支持ピン３８ａ及び貫通孔５５とを中心として、回転自在に支持ピン３８ａに支持される。第２アーム３７は、他端部に駆動ピン５６を設けている。
【００８０】
駆動ピン５６は、第２アーム３７から機器本体２の幅方向に沿ってシャーシ本体１４の外側から内側に向かう方向に向って立設している。駆動ピン５６は、第２アーム３７が第１フレーム３５と第１アーム３６の間であり、かつ第１アーム３６の上方に配されると、第２ガイド孔４２とカム歯車２３の第２の凹溝３２内に侵入する。
【００８１】
第２駆動部１８は、図４などに示すように、第２フレーム５７と、第３アーム５８と、支持アーム５９と、を備えている。第２フレーム５７は、シャーシ本体１４の底壁からシャーシ本体１４の内側に向かう方向に立設した状態で固定される。第２フレーム５７は、その平面がカム歯車２３の表面２３ｂと相対するようにして配される。第２フレーム５７は、第１フレーム３５との間に、前述した歯車２１，２２，２３を挟む。
【００８２】
第２フレーム５７は、図１１などに示すように、第３ガイド孔４３と、第４ガイド孔４４と、支持孔４５と、を備えている。第３ガイド孔４３と第４ガイド孔４４とは、第３ガイド孔４３が上方となるように鉛直方向に沿って並べられている。
【００８３】
第３ガイド孔４３は、円弧部４６と、傾斜部４７と、を備えている。円弧部４６は、第２フレーム５７の略中央に配されており、機器本体２の前面パネル１５が配される側から奥側に向かって延びるようにして円弧状に形成されている。傾斜部４７は、円弧部４６の前面パネル１５側の端部に連なっている。傾斜部４７は、円弧部４６から上方に向かって延在しており、円弧部４６から離れるのに従って、その円弧部４６とのなす角度が鈍角となるように傾斜している。
【００８４】
第４ガイド孔４４は、第２フレーム５７の下端部付近から上方に向かって延在しており、傾斜部４７と平行になるように傾斜している。
【００８５】
支持孔４５は、第２フレーム５７の前面パネル１５側の端部に設けられている。支持孔４５は、第１鉛直部４８と水平部４９と第２鉛直部５０と、を備えている。第１鉛直部４８と水平部４９と第２鉛直部５０とは、第２フレーム５７の中央から前面パネル１５寄りの端部に向かう方向に沿って順に配されている。
【００８６】
第１鉛直部４８は、第２フレーム５７の上端部付近からほぼ鉛直方向に沿って第２フレーム５７の略中央まで延びている。第１鉛直部４８は、上方に向かうに従って第３ガイド孔４３に近づくように若干傾斜している。水平部４９は第１鉛直部４８の下端部に連なっている。水平部４９は、第１鉛直部４８から前面パネル１５寄りの端部に向かって水平方向に沿って延びている。第２鉛直部５０は、水平部４９の前面パネル１５寄りの端部に連なっている。第２鉛直部５０は、水平部４９から下方に延びている。第２鉛直部５０は、第２フレーム５７の前面パネル１５寄りの縁に開口している。
【００８７】
第３アーム５８は、機器本体２の幅方向に沿って第２フレーム５７よりもシャーシ本体１４の内側に配される。第３アーム５８は、機器本体２の前面パネル１５が配される側から奥側に向かって延在したアーム状のアーム部６０と、鉛直方向に沿って延びた鉛直部６１と、を一体に備えている。
【００８８】
アーム部６０は、前面パネル１５寄りの一端部が第２ホルダ４０の下端部を支持している。アーム部６０は、機器本体２の幅方向に沿った第２の回転中心Ｒ（図４中などに一点鎖線で示す）を中心として、第２ホルダ４０の下端部を回転自在に支持する。鉛直部６１は、アーム部６０の他端部に連なっており、該他端部から上方に延びている。
【００８９】
第３アーム５８は、鉛直部６１の両端部それぞれに駆動ピン６２，６２を設けている。駆動ピン６２，６２は、第３アーム５８から立設している。駆動ピン６２，６２は、第３アーム５８から機器本体２の幅方向に沿ってシャーシ本体１４の内側から外側に向かう方向に沿って延びている。駆動ピン６２，６２は、第３アーム５８が第２フレーム５７よりもシャーシ本体１４の内側に配されると、それぞれ、第３ガイド孔４３と第４ガイド孔４４内に侵入される。さらに、駆動ピン６２，６２は、カム歯車２３の第３の凹溝３３内と第４の凹溝３４内に侵入される。
【００９０】
支持アーム５９は、第２ホルダ４０に一体に形成されている。支持アーム５９は、機器本体２の側方からみて円弧状に形成されている。支持アーム５９は、第２ホルダ４０の側部上端付近から機器本体２の奥側に向かって延びている。支持アーム５９は、機器本体２の幅方向に沿って第２フレーム５７よりもシャーシ本体１４の内側に配される。
【００９１】
支持アーム５９は、第２ホルダ４０から離れた側の端部に支持ピン６３を設けている。支持ピン６３は、支持アーム５９から立設している。支持ピン６３は、支持アーム６３から機器本体２の幅方向に沿ってシャーシ本体１４の内側から外側に向かう方向に延びている。支持ピン６３は、支持アーム５９が第２フレーム５７よりもシャーシ本体１４の内側に配されると支持孔４５内に侵入される。
【００９２】
前述した構成の第１の駆動ユニット２４は、前記モータ１９が例えば正転駆動することによって、カム歯車２３を回転させて、前記第１の位置から、第３の位置を経て第２の位置に、第１操作ユニット３と第２操作ユニット４とを移動させる。また、前記モータ１９が逆転駆動することによって、第２の位置から第３の位置を経て第１の位置に、第１操作ユニット３と第２操作ユニット４とを移動させる。
【００９３】
前記第２の駆動ユニット２５は、前記モータ１９とウォーム２０とウォーム歯車２１と伝達歯車２２などを備えていない以外は、前記第１の駆動ユニット２４とほぼ同一の構成である。また、これらの第１の駆動ユニット２４と第２の駆動ユニット２５とは、図４及び図５に示すように、リンクロッド６４によって、互いに連動する。
【００９４】
リンクロッド６４は、シャーシ本体１４に対し、その軸芯回りに回転自在に支持されている。リンクロッド６４は、棒状のロッド本体６５と、該ロッド本体６５の両端部に設けられたリンク歯車６６と、を一体に備えている。リンク歯車６６は、それぞれ、第１の駆動ユニット２４のカム歯車２３と第２の駆動ユニット２５のカム歯車２３と噛み合っている。こうして、第１の駆動ユニット２４のモータ１９の回転駆動力によって、第１の駆動ユニット２４のカム歯車２３と第２の駆動ユニット２５のカム歯車２３とが回転する。
【００９５】
次に、前述した構成の駆動機構６の作用（動作）について説明する。まず、第１の位置では、図９及び図１０に示すように、第１アーム３６の二つの駆動ピン５４は、それぞれ第１フレーム３５の一対の第１ガイド孔４１の水平延在部５１の機器本体２の奥側寄りの端部に位置している。また、それら２つの駆動ピン５４のうち第１アーム３６の中央部に設けられている駆動ピン５４は、第１の凹溝３１のカム歯車２３の回転中心Ｑ寄りの端部に位置している。
【００９６】
第２アーム３７の駆動ピン５６は、第１フレーム３５の第２ガイド孔４２の下端部に位置している。さらに、駆動ピン５６は、第２の凹溝３２のカム歯車２３の回転中心Ｑ寄りの端部に位置している。
【００９７】
また、前記第１の位置では、図１１及び図１２に示すように、第３アーム５８の鉛直部６１の上端部に設けられた駆動ピン（以下、上方の駆動ピンという）６２は、第２フレーム５７の第３ガイド孔４３の円弧部４６の機器本体２の奥側寄りの端部に位置している。前記上方の駆動ピン６２は、カム歯車２３の第３の凹溝３３の機器本体２の奥側寄りの端部に位置している。
【００９８】
鉛直部６１の下端部に設けられた駆動ピン（以下、下方の駆動ピンという）６２は、第４の凹溝３４の円弧部３４ａの渦部３４ｂから離れた側の端部に位置している。下方の駆動ピン６２は、第４ガイド孔４４の下端部に位置している。支持アーム５９の支持ピン６３は、第２フレーム５７の支持孔４５の第１鉛直部４８の上端部に位置している。
【００９９】
こうして、図６及び図７に示すように、第１操作ユニット３と第２操作ユニット４とは、露出面８ａ，１１ａが前面パネル１５の表面１５ａと垂直な方向に沿って平行に並んでいる。露出面１１ａが第１操作ユニット３と前面パネル１５との間に位置している。すなわち、第２操作ユニット４は、前面パネル１５と第１操作ユニット３とによって覆われている。さらに、図８に示すように、第１ホルダ３９と第２ホルダ４０とは、図中矢印Ｚで示す方向に沿って並んでいるとともに、第１ホルダ３９が第２ホルダ４０より図中手前側に配される。
【０１００】
前記モータ１９が、例えば、正転駆動し、カム歯車２３が、図９及び図１１中の矢印Ｌに沿って回転すると、第１の凹溝３１が、カム歯車２３の回転中心Ｑから離れるのにしたがって徐々に外縁部に近づくように渦状に形成されており、駆動ピン５４が第１の凹溝３１の前記回転中心Ｑ寄りの端部に位置しているため、前記駆動ピン５４は、カム歯車２３の外縁部に向かって移動しようとする。すると、前記駆動ピン５４が、第１ガイド孔４１の水平延在部５１に沿って移動するとともに、円弧部５２に沿って下方に移動する。
【０１０１】
さらに、第２の凹溝３２が、カム歯車２３の回転中心から離れるのにしたがって徐々に外縁部に近づくように渦状に形成されており、駆動ピン５６が第２の凹溝３２の前記回転中心Ｑ寄りの端部に位置しているため、前記駆動ピン５６は、カム歯車２３の外縁部に向かって移動しようとする。すると、前記駆動ピン５６が、第２ガイド孔４２に沿って上方に移動するとともに、第２アーム３７が、図１０中の矢印Ｎに沿って回転する。
【０１０２】
こうして、第１ホルダ３９即ち第１操作ユニット３が、前面パネル１５の表面１５ａと垂直な方向に沿って機器本体２から離れる方向に向かって移動した後、機器本体２から下方に移動する。さらに、露出面８ａが上方に向く方向に、前記第１の回転中心Ｐを中心として回転する。
【０１０３】
また、前記第１の位置において、前記モータ１９が、例えば、正転駆動し、カム歯車２３が、図９及び図１１中の矢印Ｌに沿って回転すると、第３アーム５８の下方の駆動ピン６２が第４の凹溝３４の円弧部３４ａ内に位置しており、上方の駆動ピン６２が第３ガイド孔４３の円弧部４６内に位置しているため、下方の駆動ピン６２は第４ガイド孔４４の下端部に位置したまま、上方の駆動ピン６２は、下方の駆動ピン６２を中心として円弧部４６内を前面パネル１５寄りの端部まで移動する。
【０１０４】
こうして、第３アーム５８は、下方の駆動ピン６２を中心として、矢印Ｏ（図１２に示す）に沿って回転する。第２ホルダ４０即ち第２操作ユニット４は、前記円弧部４６の長さに応じて下方に移動する。なお、このとき、支持アーム５９の支持ピン６３は、下方に向かって第１鉛直部４８内を移動する。
【０１０５】
このように、前記第１の位置から、第１操作ユニット３及び第１ホルダ３９が、図１３および図１４に示すように、前面パネル１５の表面１５ａと垂直な方向に沿って離れかつ機器本体２から下方に離れるようにスライド移動するとともに、若干露出面８ａを上方に向ける。第２操作ユニット４が、図１３および図１４に示すように、下方に移動して、記録媒体挿入口７を露出させる。こうして、第１操作ユニット３と第２操作ユニット４とは、前記第１の位置から第３の位置に移動する。
【０１０６】
第３の位置では、図１６及び図１７に示すように、第１アーム３６の二つの駆動ピン５４は、それぞれ、第１フレーム３５の一対の第１ガイド孔４１の円弧部５２の中央部に位置している。また、第１アーム３６の中央部に設けられている駆動ピン５４は、第１の凹溝３１の中央部に位置している。
【０１０７】
第２アーム３７の駆動ピン５６は、第１フレーム３５の第２ガイド孔４２の中央部に位置している。さらに、駆動ピン５６は、第２の凹溝３２の中央部に位置している。
【０１０８】
また、前記第３の位置では、図１８及び図１９に示すように、第３アーム５８の上方の駆動ピン６２は、第２フレーム５７の第３ガイド孔４３の円弧部４６の前面パネル１５寄りの端部の位置している。前記上方の駆動ピン６２は、カム歯車２３の第３の凹溝３３の中央部に位置している。
【０１０９】
下方の駆動ピン６２は、第４の凹溝３４の円弧部３４ａの渦部３４ｂ寄りの端部に位置している。下方の駆動ピン６２は、第４ガイド孔４４の下端部に位置している。支持アーム５９の支持ピン６３は、第２フレーム５７の支持孔４５の第１鉛直部４８の下端部に位置している。
【０１１０】
こうして、図１３及び図１４に示すように、第１操作ユニット３と第２操作ユニット４とは、前記第１の位置からそれぞれ下方に移動して、記録媒体挿入口７を露出させる。このとき、第１操作ユニット３の露出面８ａは、使用者に対し露出している。第２操作ユニット４の露出面１１ａは、第１操作ユニット３によってその一部が覆われた状態となっている。
【０１１１】
さらに、図１５に示すように、第１ホルダ３９と第２ホルダ４０とは、前記第１の位置からそれぞれ下方に移動しているとともに、第１ホルダ３９が第２ホルダ４０より下方に配される。
【０１１２】
前記モータ１９が、例えば、更に正転駆動し、カム歯車２３が、図１６及び図１８中の矢印Ｌに沿って回転すると、第１の凹溝３１が、カム歯車２３の回転中心Ｑから離れるのにしたがって徐々に外縁部に近づくように渦状に形成されており、駆動ピン５４が第１の凹溝３１の中央部に位置しているため、前記駆動ピン５４は、カム歯車２３の外縁部に向かって移動しようとする。すると、前記駆動ピン５４は、円弧部５２に沿って更に下方に移動する。
【０１１３】
さらに、第２の凹溝３２が、カム歯車２３の回転中心Ｑから離れるのにしたがって徐々に外縁部に近づくように渦状に形成されており、駆動ピン５６が第２の凹溝３２の前記中央部に位置しているため、前記駆動ピン５６は、カム歯車２３の外縁部に向かって移動しようとする。すると、前記駆動ピン５６が、第２ガイド孔４２に沿ってさらに上方に移動するとともに、第２アーム３７が、図１７中の矢印Ｎに沿って回転する。
【０１１４】
こうして、第１ホルダ３９即ち第１操作ユニット３が、前記第３の位置から更に機器本体２から下方に離れかつ機器本体２の前方に向かって移動する。第１アーム３６がさらに機器本体２の前方に向かって移動し、第２アーム３７が前記矢印Ｎに沿って更に回転するので、露出面８ａが更に上方に向く方向に、第１の回転中心Ｐを中心として回転する。
【０１１５】
また、前記モータ１９が、第３の位置において、例えば、更に正転駆動し、カム歯車２３が、図１６及び図１８中の矢印Ｌに沿って回転すると、第３アーム５８の下方の駆動ピン６２が第４の凹溝３４の渦部３４ｂ寄りの円弧部３４ａの端部に位置しているため、前記第３アーム５８の駆動ピン６２のそれぞれが、第３ガイド孔４３の傾斜部４７と、第４ガイド孔４４とに沿って上方に向かって移動する。
【０１１６】
こうして、第３アーム５８は、第３ガイド孔４３の傾斜部４７と、第４ガイド孔４４とに沿って、機器本体２の前方に移動しながら上方に移動する。このとき、支持アーム５９の支持ピン６３は、上方に向かって第１鉛直部４８内を移動する。
【０１１７】
さらに、第３ガイド孔４３の傾斜部４７と第４ガイド孔４４とは、上方に向かうにしたがって徐々に第１鉛直部４８に近づく方向に傾斜しており、第１鉛直部４８が上方に向かうにしたがって、徐々に第３ガイド孔４３に近づく方向に傾斜している。第２ホルダ４０の下端部が機器本体２の前方に移動し第２ホルダ４０の上端部が前面パネル１５に向かう方向に移動する。すると、露出面１１ａが更に上方に向くように、第２操作ユニット４が第２の回転中心Ｒを中心として回転する。
【０１１８】
このように、前記第３の位置から、第１操作ユニット３及び第１ホルダ３９が、図２０及び図２１に示すように、機器本体２の前方でありかつ機器本体２から下方に離れるようにスライド移動するとともに、若干露出面８ａを上方に向ける。第２操作ユニット４が、図２０ないし図２１に示すように、上方にスライド移動するとともに、露出面１１ａを上方に向ける。こうして、第１操作ユニット３と第２操作ユニット４とは、前記第３の位置から第２の位置に移動する。
【０１１９】
第２の位置では、図２３及び図２４に示すように、第１アーム３６の二つの駆動ピン５４は、それぞれ第１フレーム３５の一対の第１ガイド孔４１の円弧部５２の下方延在部５３寄りの端部に位置している。また、第１アーム３６の中央部に設けられている駆動ピン５４は、第１の凹溝３１のカム歯車２３の回転中心Ｑから離れた端部に位置している。
【０１２０】
第２アーム３７の駆動ピン５６は、第１フレーム３５の第２ガイド孔４２の上端部に位置している。さらに、駆動ピン５６は、第２の凹溝３２のカム歯車２３の回転中心Ｑから離れた端部に位置している。
【０１２１】
また、前記第２の位置では、図２５及び図２６に示すように、第３アーム５８の上方の駆動ピン６２は、第２フレーム５７の第３ガイド孔４３の傾斜部４７の上端部に位置している。下方の駆動ピン６２は、第４の凹溝３４の渦部３４ｂのカム歯車２３の回転中心Ｑ寄りの端部に位置している。下方の駆動ピン６２は、第４ガイド孔４４の上端部に位置している。支持アーム５９の支持ピン６３は、第２フレーム５７の支持孔４５の第１鉛直部４８に位置している。
【０１２２】
こうして、図２０及び図２１に示すように、第３の位置から第１操作ユニット３がさらに下方に向かって移動し、第３の位置から第２操作ユニット４が上方に向かって移動する。露出面８ａ，１１ａがともに上方に向くように、第１操作ユニット３と第２操作ユニット４とが回転する。こうして、露出面８ａ，１１ａがそれぞれ使用者に対して露出するとともに上方に向いて、前記ＬＣＤ９，１２の表示面を使用者が良好に視認できる。
【０１２３】
さらに、図２２に示すように、第１ホルダ３９が第３の位置からさらに下方に向かって移動し、第２ホルダ４０が第３の位置から上方に移動して、第１ホルダ３９が第２ホルダ４０より下方に配される。
【０１２４】
また、前記第２の位置から、第３の位置を経て第１の位置に向かって移動する際には、前記モータ１９が例えば逆転駆動して、カム歯車２３を、前記矢印Ｌとは逆向きの図１６、図１８、図２３及び図２５中に示す矢印Ｍに沿って回転させれば良い。
【０１２５】
このように、第１操作ユニット３と第２操作ユニット４とは、それぞれ、機器本体２に対し移動して、前記第１の位置と前記第２の位置とに亘って移動する。また、第１操作ユニット３と第２操作ユニット４とは、それぞれ機器本体２に対し移動して記録媒体挿入口７を露出させる第３の位置に移動可能である。
【０１２６】
第１ホルダ３９即ち第１操作ユニット３は、機器本体２から下方に向かって離れて、第１の位置から前記第２の位置に向かって移動する。また、第２ホルダ４０即ち第２操作ユニット４は、機器本体２に対し下方に向かって移動して、第３の位置に位置した後、再び上方に移動して第２の位置に向かって移動する。
【０１２７】
また、第２の位置では、第１ホルダ３９即ち第１操作ユニット３は、機器本体２の幅方向に沿った第１の回転中心Ｐ回りに回転して、露出面８ａが上方に向けられる。さらに、第２の位置では、第２ホルダ４０即ち第２操作ユニット４は、機器本体２の幅方向に沿った第２の回転中心Ｒ回りに回転して、露出面１１ａが上方に向けられる。
【０１２８】
また、前述した電子機器１は、前記第２の位置または前記第３の位置において、第１操作ユニット３が第１ホルダ３９から取り外されると、前記モータ１９が前述した逆転駆動して、カム歯車２３を図１６、図１８、図２３及び図２５中に示す矢印Ｍに沿って回転させる。すると、第１ホルダ３９と、第２操作ユニット４が、前記第１の位置に向かって移動する。そして、第１ホルダ３９と前面パネル１５の表面１５ａとの間に第２操作ユニット４を位置させるとともに、第１ホルダ３９と第２操作ユニット４とは、前面パネル１５の表面１５ａと垂直な方向に沿って平行に並べられる。そして、第１操作ユニット３が第１ホルダ３９から取り外されると、第１ホルダ３９が、前面パネル１５などとともに、第２操作ユニット４を覆い、電子機器１自体が機能しなくなる。
【０１２９】
本実施形態によれば、第１操作ユニット３と第２操作ユニット４それぞれの露出面８ａ，１１ａは、第２の位置では露出する。このため、前記露出面８ａ，１１ａそれぞれに設けられたＬＣＤ９，１２の表示面を大きくできる。よって、使用者などが、電子機器１の作動状況を良好に視認できるようになる。
【０１３０】
また、前記第１操作ユニット３に例えばＡＭ／ＦＭチューナが受信する放送局の選択等の操作を行うためのスイッチ１０を設け、前記第２操作ユニット４に例えばＣＤプレーヤが再生する曲の選択などの操作を行うためのスイッチ１３を設けている。このため、操作部を設置する領域が拡大され、有効利用することができる。
【０１３１】
さらに、第１操作ユニット３が前記機器本体の一つの面に対して前方に移動後、下方に移動するに伴って第２操作ユニット４が第１操作ユニット３の上方に向かって移動する。このため、第１の位置から露出面８ａ，１１ａを露出させる第２の位置への、第１操作ユニット３と第２操作ユニット４それぞれの機器本体２からの変位を最小にできる。このため、第１操作ユニット３と第２操作ユニット４とが、例えば電子機器１を自動車のインパネに取り付けた場合、自動車の変速レバーなどの装備品と干渉することを防止できる。
【０１３２】
第１操作ユニット３と第２操作ユニット４とは、記録媒体挿入口７を露出させる第３の位置に変位可能である。このため、機器本体２内にＣＤなどの記録媒体を確実に挿入できる。
【０１３３】
第１操作ユニット３は、機器本体２から離れるようにして下方に向かって第１の位置から第２の位置に移動する。このため、第２の位置では、露出面８ａ，１１ａが互いに重なることを防止できる。したがって、第２の位置において、露出面８ａ，１１ａそれぞれを使用者がより確実に視認できる。したがって、前記露出面８ａ，１１ａそれぞれに設けられたＬＣＤ９，１２を確実に視認できる。
【０１３４】
第１操作ユニット３と第２操作ユニット４とは、機器本体２から離れるようにして下方に向かって第１の位置から第３の位置に位置する。このため、第３の位置では、記録媒体挿入口７を確実に露出できる。したがって、電子機器１は、機器本体２内に記録媒体をより確実に挿入させることができる。
【０１３５】
第２の位置では、第１操作ユニット３の露出面８ａが上方に向けられる。このため、露出面８ａに設けられたＬＣＤ９が使用者と相対される。したがって、使用者が、前記ＬＣＤ９が表示する情報をより視認しやすくなる。
【０１３６】
第２の位置では、第２操作ユニット４の露出面１１ａが上方に向けられる。このため、露出面１１ａに設けられたＬＣＤ１２が使用者と相対される。したがって、使用者が、前記ＬＣＤ１２が表示する情報をより視認しやすくなる。
【０１３７】
第１ホルダ３９から第１操作ユニット３を取り外すと、第１ホルダ３９と機器本体２との間に第２操作ユニット４が位置するように、第１ホルダ３９と第２操作ユニット４との双方が移動する。このため、第１操作ユニット３を取り外すと、第１ホルダ３９が第２操作ユニット４を覆う。
【０１３８】
また、第１操作ユニット３が取り外されると電子機器１自体が機能しないようになる。電子機器１の盗難を防止できる。
【０１３９】
また、前述した実施形態では、第１の位置から第２の位置に向かって移動する際に、第１操作ユニット３が下方に向かって移動している最中に、第３の位置に位置した後、第２操作ユニット４が上方に向かって移動する。しかしながら、本発明では、第１操作ユニット３が第１の位置から第２の位置に向かって移動する際に下死点に達した後に、第２操作ユニット４が上方に移動しても良い。
【０１４０】
この場合、第２の位置では、第１操作ユニット３の露出面８ａと第２操作ユニット４の露出面１１ａとが互いに重なることをより確実に防止できる。したがって、第２の位置において、露出面８ａ，１１ａそれぞれを使用者がより一層良好に視認できる。したがって、前記露出面８ａ，１１ａそれぞれに設けられたＬＣＤ９，１２が表示する内容を確実に視認できるとともに、スイッチ１０，１３をより確実に操作できるようになる。
【０１４１】
さらに、前述した実施形態では、第２の位置では、露出面８ａ，１１ａが上向きとなる方向に、第１操作ユニット３と第２操作ユニット４との双方が回転する。本発明では、各アーム３６，３７，５８，５９の長さなどを適宜変更することによって、前記第２の位置において、図２７に示すように、露出面８ａ，１１ａを互いに平行にしても良い。なお、前述した実施形態と同一構成部分には、同一符号を付して説明を省略する。この場合、第２の位置において、使用者が、露出面８ａ，１１ａに設けられたＬＣＤ９，１２が表示する情報をより一層良好に視認できる。
【０１４２】
さらに、本発明では、各アーム３６，３７，５８，５９の長さなどを適宜変更することによって、図２９に示すように、第１の位置では露出面８ａ，１１ａを互いに相対させても良い。なお、前述した実施形態と同一構成部分には、同一符号を付して説明を省略する。
【０１４３】
この場合、第１操作ユニット３と第２操作ユニット４とは、図２８及び図２９に示す第１の位置から、図３０及び図３１に示す第２の位置を経て、図３２及び図３３に示す第３の位置に移動する。
【０１４４】
第１の位置では、第１操作ユニット３は、露出面８ａが第２操作ユニット４の露出面１１ａに相対した状態となっている。第１の位置から第２の位置に向かって移動する際には、第１操作ユニット３は、第２アーム３７との連結箇所（図２９、図３１及び図３３に示す第１の回転中心Ｐ）を中心として露出面８ａが使用者に相対する方向に、図２９中の矢印Ｓ（図２９及び図３１に示す）に沿って回転される。そして、第１操作ユニット３の露出面８ａが使用者に相対する。このように、露出面８ａを、第１の位置に位置するときとは反対の方向に向かせるように、第１操作ユニット３と第１ホルダ３９を回転させる。
【０１４５】
さらに、第２操作ユニット４が、露出面１１ａが上向きとなるように、前記第２の回転中心Ｒを中心として回転される。また、第１操作ユニット３は、露出面８ａが上向きとなる。こうして、第１操作ユニット３と第２操作ユニット４は、図３０及び図３１に示す第２の位置に移動する。
【０１４６】
第２の位置から第３の位置に向かって移動する際には、第２操作ユニット４が下方に移動する。記録媒体挿入口７が露出する。こうして、第１操作ユニット３と第２操作ユニット４は、図３２及び図３３に示す第３の位置に移動する。
【０１４７】
図２８から図３３に示す場合においても、第２の位置では、第１操作ユニット３と第２操作ユニット４それぞれの露出面８ａ，１１ａは露出する。このため、前記露出面８ａ，１１ａそれぞれに設けられたＬＣＤ９，１２の表示面を大きくできる。よって、前記露出面８ａ，１１ａそれぞれにＬＣＤ９，１２を設けることによって、使用者などが電子機器１の作動状況を良好に視認できるようになる。
【０１４８】
また、前記第１操作ユニット３に例えばＡＭ／ＦＭチューナが受信する放送局の選択等の操作を行うためのスイッチ１０を設け、前記第２操作ユニット４に例えばＣＤプレーヤが再生する曲の選択などを行うためのスイッチ１３を設けることによって、操作部を設置する領域が拡大され有効利用することができる。
【０１４９】
さらに、第１操作ユニット３と第２操作ユニット４とが、それぞれ機器本体２に対し移動する。このため、第２の位置へ移動する際の、第１操作ユニット３と第２操作ユニット４それぞれの機器本体２からの変位を最小にすることができる。このため、第１操作ユニット３と第２操作ユニット４などが、例えば、電子機器１が自動車のインパネに取り付けられた場合、自動車の変速レバーなどの装備品と干渉することを防止できる。
【０１５０】
また、第２の位置では、露出面８ａ，１１ａが上方に向けられる。このため、露出面８ａ，１１ａに設けられたＬＣＤ９，１２が使用者と相対される。したがって、使用者が、前記ＬＣＤ９，１２が表示する情報をより視認しやすくなる。したがって、使用者などが作動状況をより一層良好に視認できるようになる。
【０１５１】
【発明の効果】
以上説明したように請求項１に記載の本発明は、第２の位置において、第１の被動部と第２の被動部それぞれの露出面が露出する。このため、前記露出面それぞれに液晶ディスプレイなどの表示パネルを設けることによって、該表示パネルの表示領域を大きくすることができる。
【０１５２】
このため、前記露出面それぞれに液晶ディスプレイなどの表示パネルを設けることによって、使用者などが電子機器自体の作動状況を良好に視認できるようになる。
【０１５３】
さらに、第１の被動部が前記機器本体の一つの面に対して前方に移動後、下方に移動するに伴って第２の被動部が前記第１の被動部の上方に向かって移動する。このため、前記露出面を露出させる第２の位置に移動する際に、前記第１の被動部と第２の被動部それぞれの前記機器本体からの変位を最小にすることができる。したがって、例えば自動車のインパネなどに取り付けられると、第１の被動部と第２の被動部などが自動車の変速レバーなどの装備品と干渉することを防止できる。
【０１５４】
請求項２に記載の本発明は、第１の被動部と第２の被動部とは、記録媒体挿入口を露出させる第３の位置に変位可能である。このため、使用者が電子機器自体の作動状況を良好に視認できることにくわえ、機器本体内に記録媒体を確実に挿入できる。
【０１５５】
請求項３に記載の本発明は、第１の被動部が機器本体の一つの面から離れた後下方に移動して第１の位置から第２の位置に移動する。このため、第２の位置では、第１の被動部の露出面と第２の被動部の露出面とが互いに重なることを防止できる。第２の位置では、それぞれの露出面がより確実に露出する。したがって、前記露出面それぞれに液晶ディスプレイなどの表示パネルを設けることによって、使用者などが電子機器自体の作動状況をより良好に視認できるようになる。
【０１５６】
請求項４に記載の本発明は、第２の被動部が下方に移動して第１の位置から第３の位置に移動する。このため、第３の位置では、記録媒体挿入口を確実に露出させることができる。したがって、使用者が電子機器自体の作動状況を良好に視認できることにくわえ、機器本体内に記録媒体をより確実に挿入できる。
【０１５７】
請求項５に記載の本発明は、第１の被動部が第２の位置に位置した後又は第１の被動部が前記第２の位置に向かって移動している時に、第２の被動部が第３の位置から上方に向かって移動する。このため、第２の位置では、第１の被動部の露出面と第２の被動部の露出面とが互いに重なることをより確実に防止できる。このため、第２の位置において、露出面それぞれをより一層確実に露出できる。したがって、前記露出面それぞれに液晶ディスプレイなどの表示パネルを設けることによって、使用者などが電子機器自体の作動状況をより一層良好に視認できるようになる。
【０１５８】
請求項６に記載の本発明は、第２の位置では、第１の被動部の露出面が上方に向けられる。このため、露出面に表示パネルなどを設けると、該表示パネルが使用者と相対される。このため、表示パネルが表示する情報を使用者がより視認しやすくなる。したがって、使用者などが電子機器自体の作動状況をより良好に視認できるようになる。
【０１５９】
請求項７に記載の本発明は、第２の位置では、第２の被動部の露出面が上方に向けられる。このため、露出面に表示パネルなどを設けると、該表示パネルが使用者に相対される。このため、前記表示パネルが表示する情報を使用者がより視認しやすくなる。したがって、使用者などが電子機器自体の作動状況をより良好に視認できるようになる。
【０１６０】
請求項８に記載の本発明は、第２の位置では、第１の被動部の露出面と第２の被動部の露出面とが平行になる。このため、これらの露出面に表示パネルなどを設けると、双方の表示パネルが表示する情報を使用者が容易に視認できる。したがって、使用者などが電子機器自体の作動状況をより一層良好に視認できるようになる。
【０１６１】
請求項９に記載の本発明は、中蓋から第１の被動部を取り外すと、中蓋と機器本体との間に第２の被動部が位置するように、中蓋と第２の被動部との双方が移動する。このため、第１の被動部を取り外すと、中蓋が第２の被動部を覆う。
【０１６２】
このため、第１の被動部が取り外されると電子機器自体が機能しなくなるようにすることによって、電子機器の盗難を防止できる。
【０１６３】
請求項１０に記載の本発明は、第２の位置において、第１の被動部と第２の被動部それぞれの露出面が露出する。このため、前記露出面それぞれに液晶ディスプレイなどの表示パネルを設けることによって、該表示パネルの表示領域を大きくすることができる。このため、前記露出面それぞれに液晶ディスプレイなどの表示パネルを設けることによって、使用者などが電子機器自体の作動状況を良好に視認できるようになる。
【０１６４】
さらに、第１の被動部と第２の被動部とは、それぞれを前記機器本体に対して移動自在に支持する支持部材が設けられており、それぞれ機器本体に対し回転し移動する。このため、前記露出面を露出させる第２の位置に移動する際に、前記第１の被動部と第２の被動部それぞれの前記機器本体からの変位を最小にすることができる。
【０１６５】
したがって、電子機器が自動車のインパネに取り付けられると、第１の被動部と第２の被動部などが自動車の変速レバーなどの装備品と干渉することを防止できる。
【０１６６】
さらに、第２の位置では、第１の被動部の露出面と第２の被動部の露出面との双方が上方に向けられる。このため、露出面に表示パネルなどを設けると、該表示パネルが使用者に相対される。このため、前記表示パネルが表示する情報を使用者がより視認しやすくなる。したがって、使用者などが電子機器自体の作動状況をより一層良好に視認できるようになる。
【図面の簡単な説明】
【図１】本発明の一実施形態にかかる電子機器を示す斜視図である。
【図２】図１に示された電子機器の第１操作ユニットと第２操作ユニットとが第３の位置に変位した状態を示す斜視図である。
【図３】図１に示された電子機器の第１操作ユニットと第２操作ユニットとが第２の位置に変位した状態を示す斜視図である。
【図４】図１に示された電子機器の駆動機構の第１の駆動ユニットなどを分解して示す斜視図である。
【図５】図１に示された電子機器の駆動機構の第２の駆動ユニットなどを分解して示す斜視図である。
【図６】図１に示された電子機器の第１操作ユニットと第２操作ユニットとが第１の位置に変位した状態を示す正面図である。
【図７】図１に示された電子機器の第１操作ユニットと第２操作ユニットとが第１の位置に変位した状態を、一部を断面にして示す側面図である。
【図８】図１に示された電子機器の第１ホルダと第２ホルダとが第１の位置に変位した状態の駆動機構を示す斜視図である。
【図９】図８中の矢印Ａ方向からみた第１フレームとカム歯車との位置関係などを示す側面図である。
【図１０】図８中の矢印Ａ方向からみた第１フレームと第１アームと第２アームとの位置関係などを示す側面図である。
【図１１】図８中の矢印Ｂ方向からみた第２フレームとカム歯車との位置関係などを示す側面図である。
【図１２】図８中の矢印Ｂ方向からみた第２フレームと第３アームと支持アームとの位置関係などを示す側面図である。
【図１３】図１に示された電子機器の第１操作ユニットと第２操作ユニットとが第３の位置に変位した状態を示す正面図である。
【図１４】図１に示された電子機器の第１操作ユニットと第２操作ユニットとが第３の位置に変位した状態を、一部を断面にして示す側面図である。
【図１５】図１に示された電子機器の第１ホルダと第２ホルダとが第３の位置に変位した状態の駆動機構を示す斜視図である。
【図１６】図１５中の矢印Ｃ方向からみた第１フレームとカム歯車との位置関係などを示す側面図である。
【図１７】図１５中の矢印Ｃ方向からみた第１フレームと第１アームと第２アームとの位置関係などを示す側面図である。
【図１８】図１５中の矢印Ｄ方向からみた第２フレームとカム歯車との位置関係などを示す側面図である。
【図１９】図１５中の矢印Ｄ方向からみた第２フレームと第３アームと支持アームとの位置関係などを示す側面図である。
【図２０】図１に示された電子機器の第１操作ユニットと第２操作ユニットとが第２の位置に変位した状態を示す正面図である。
【図２１】図１に示された電子機器の第１操作ユニットと第２操作ユニットとが第２の位置に変位した状態を、一部を断面にして示す側面図である。
【図２２】図１に示された電子機器の第１ホルダと第２ホルダとが第２の位置に変位した状態の駆動機構を示す斜視図である。
【図２３】図２２中の矢印Ｅ方向からみた第１フレームとカム歯車との位置関係などを示す側面図である。
【図２４】図２２中の矢印Ｅ方向からみた第１フレームと第１アームと第２アームとの位置関係などを示す側面図である。
【図２５】図２２中の矢印Ｆ方向からみた第２フレームとカム歯車との位置関係などを示す側面図である。
【図２６】図２２中の矢印Ｆ方向からみた第２フレームと第３アームと支持アームとの位置関係などを示す側面図である。
【図２７】本発明の変形例の電子機器の第１操作ユニットと第２操作ユニットとが第２の位置に変位した状態を、一部を断面にして示す側面図である。
【図２８】本発明の他の変形例の電子機器の第１操作ユニットと第２操作ユニットとが第１の位置に変位した状態を示す正面図である。
【図２９】図２８に示された電子機器の第１操作ユニットと第２操作ユニットとが第１の位置に変位した状態を、一部を断面にして示す側面図である。
【図３０】図２８に示された電子機器の第１操作ユニットと第２操作ユニットとが第２の位置に変位した状態を示す正面図である。
【図３１】図２８に示された電子機器の第１操作ユニットと第２操作ユニットとが第２の位置に変位した状態を、一部を断面にして示す側面図である。
【図３２】図２８に示された電子機器の第１操作ユニットと第２操作ユニットとが第３の位置に変位した状態を示す正面図である。
【図３３】図２８に示された電子機器の第１操作ユニットと第２操作ユニットとが第３の位置に変位した状態を、一部を断面にして示す側面図である。
【図３４】従来の電子機器を示す斜視図である。
【図３５】図３４に示された電子機器の操作ユニットが第２の位置に変位した状態を示す斜視図である。
【図３６】従来の他の電子機器を示す斜視図である。
【符号の説明】
１  電子機器
２  機器本体
３  第１操作ユニット（第１の被動部）
４  第２操作ユニット（第２の被動部）
７  記録媒体挿入口
８ａ  露出面
１１ａ  露出面
１５ａ  表面（一つの面）
３９  第１ホルダ（中蓋）
Ｐ  第１の回転中心
Ｒ  第２の回転中心
【図１】
0003740022.tif 000002
【図２】
0003740022.tif 000003
【図３】
0003740022.tif 000004
【図４】
0003740022.tif 000005
【図５】
0003740022.tif 000006
【図６】
0003740022.tif 000007
【図７】
0003740022.tif 000008
【図８】
0003740022.tif 000009
【図９】
0003740022.tif 000010
【図１０】
0003740022.tif 000011
【図１１】
0003740022.tif 000012
【図１２】
0003740022.tif 000013
【図１３】
0003740022.tif 000014
【図１４】
0003740022.tif 000015
【図１５】
0003740022.tif 000016
【図１６】
0003740022.tif 000017
【図１７】
0003740022.tif 000018
【図１８】
0003740022.tif 000019
【図１９】
0003740022.tif 000020
【図２０】
0003740022.tif 000021
【図２１】
0003740022.tif 000022
【図２２】
0003740022.tif 000023
【図２３】
0003740022.tif 000024
【図２４】
0003740022.tif 000025
【図２５】
0003740022.tif 000026
【図２６】
0003740022.tif 000027
【図２７】
0003740022.tif 000028
【図２８】
0003740022.tif 000029
【図２９】
0003740022.tif 000030
【図３０】
0003740022.tif 000031
【図３１】
0003740022.tif 000032
【図３２】
0003740022.tif 000033
【図３３】
0003740022.tif 000034
【図３４】
0003740022.tif 000035
【図３５】
0003740022.tif 000036
【図３６】
0003740022.tif 000037